(57)【要約】【課題】回転ブラシを構成する各ブラシ糸の形状を適切に設定することによって、床面上の油脂汚れを確実に拭き取る。床面付近の塵埃の除去効率を確実に向上させる。【解決手段】回転体１３のブラシ部１２は、回転体１３の支持部４１ａ・４１ｂにて支持される第１ブラシ部２１、第２ブラシ部３１を有している。第１ブラシ部２１はストレートブラシ２２で構成され、第２ブラシ部はループブラシ３２とそれを挟持するブレード３３とで構成される。ループブラシ３２は、各ブラシ糸３２ａの両端を結ぶ線が支持部４１ｂの形成方向に沿うように、各ブラシ糸３２ａの両端を基布３２ｂに固定することによって各ブラシ糸３２ａをループ状に形成してなっている。また、回転体１３は、その回転時に、ストレートブラシ２２が筐体４の前壁４ａに接触するように筐体４内に収容されている。【選択図】  図１
2004249009.tif 000002
【特許請求の範囲】
【請求項１】
基布に固定される複数のブラシ糸を有するブラシ部と、
上記ブラシ部を支持する支持部を有し、上記ブラシ部を回転させる回転体と、
上記回転体を収容しながら、上記回転体の回転軸に対して垂直方向に往復移動する筐体とを備えた電気掃除機の吸込口体であって、
上記支持部は、上記回転体の周面を挟む両端面の各円周上の点を上記周面上で結ぶ線に沿って形成されており、
上記ブラシ部は、
上記各ブラシ糸の両端を結ぶ線が上記支持部の形成方向に沿うように、上記各ブラシ糸の両端を上記基布に固定することによって上記各ブラシ糸をループ状に形成したループブラシと、
上記支持部に支持される基布に各ブラシ糸の一端のみを固定したストレートブラシとを有しており、
上記ストレートブラシの回転半径方向の長さは、上記回転体の回転時に、上記ストレートブラシが上記回転体に対して一方の移動方向側に位置する筐体壁部と接触するように設定されていることを特徴とする電気掃除機の吸込口体。
【請求項２】
上記ストレートブラシの回転半径方向の長さは、上記ストレートブラシと上記筐体壁部との当たり量が１ｍｍ以上２ｍｍ以下となるように設定されていることを特徴とする請求項１に記載の電気掃除機の吸込口体。
【請求項３】
上記ループブラシの回転半径方向の長さは、上記ループブラシの最大回転半径が上記回転体の回転軸の中心から上記筐体壁部までの距離よりも短くなるように設定されていることを特徴とする請求項１または２に記載の電気掃除機の吸込口体。
【請求項４】
上記支持部は、上記回転体の回転により、上記ループブラシと上記ストレートブラシとが交互に床面に接触するように、上記ループブラシと上記ストレートブラシとを支持していることを特徴とする請求項１ないし３のいずれかに記載の電気掃除機の吸込口体。
【請求項５】
基布に固定される複数のブラシ糸を有するブラシ部と、
上記ブラシ部を支持しながら回転させる回転体と、
上記回転体を収容しながら、上記回転体の回転軸に対して垂直方向に往復移動する筐体とを備えた電気掃除機の吸込口体であって、
上記ブラシ部は、
上記各ブラシ糸の両端を結ぶ線が上記回転体の回転軸方向に沿うように、上記各ブラシ糸の両端を上記基布に固定することによって上記各ブラシ糸をループ状に形成したループブラシと、
上記回転体に支持される基布に各ブラシ糸の一端のみを固定したストレートブラシとを有しており、
上記ストレートブラシの回転半径方向の長さは、上記回転体の回転時に、上記ストレートブラシが上記回転体に対して一方の移動方向側に位置する筐体壁部と接触するように設定されていることを特徴とする電気掃除機の吸込口体。
【請求項６】
床面上を移動させて塵埃を含む空気を吸い込む吸込口を有する筐体と、
所定の長さのブラシ糸を有し、上記筐体内に回転可能に軸支された回転体とを備えた電気掃除機の吸込口体であって、
上記回転体は、上記筐体の一方の移動方向側の吸込口に位置する筐体壁部と上記ブラシ糸との当たり量が１ｍｍ以上２ｍｍ以下で、かつ、床面と上記ブラシ糸との当たり量が１ｍｍ以上２ｍｍ以下となるように、上記筐体にて軸支されていることを特徴とする電気掃除機の吸込口体。
【請求項７】
上記回転体は、上記筐体壁部と上記ブラシ糸との当たり量が１．５ｍｍで、かつ、床面と上記ブラシ糸との当たり量が１．４ｍｍとなるように、上記筐体にて軸支されていることを特徴とする請求項６に記載の電気掃除機の吸込口体。
【請求項８】
上記ストレートブラシの各ブラシ糸の表面には、トルマリンがコーティングされていることを特徴とする請求項１ないし５のいずれかに記載の電気掃除機の吸込口体。
【請求項９】
上記ストレートブラシの各ブラシ糸には、トルマリンが練り込まれていることを特徴とする請求項１ないし５のいずれかに記載の電気掃除機の吸込口体。
【請求項１０】
上記ブラシ部は、捲縮形状の各ブラシ糸の一端が上記ストレートブラシと同じ基布に固定された捲縮ブラシをさらに備えていることを特徴とする請求項１ないし５、８、９のいずれかに記載の電気掃除機の吸込口体。
【請求項１１】
上記捲縮ブラシは、上記ストレートブラシよりも回転方向下流側に位置していることを特徴とする請求項１０に記載の電気掃除機の吸込口体。
【請求項１２】
上記捲縮ブラシは、上記ストレートブラシよりも各ブラシ糸の長さが短く形成されていることを特徴とする請求項１０または１１に記載の電気掃除機の吸込口体。
【請求項１３】
上記捲縮ブラシの各ブラシ糸には、トルマリンが練り込まれていることを特徴とする請求項１０ないし１２のいずれかに記載の電気掃除機の吸込口体。
【請求項１４】
請求項１ないし１３のいずれかに記載の電気掃除機の吸込口体と、
上記吸込口体から塵埃を含む空気を吸引する電動送風機とを備えてなることを特徴とする電気掃除機。
【発明の詳細な説明】
【０００１】
【発明の属する技術分野】
本発明は、回転ブラシを有する電気掃除機の吸込口体およびそれを備えた電気掃除機に関するものである。
【０００２】
【従来の技術】
従来の電気掃除機もしくはそれに用いられる吸込口体として、例えば特許文献１〜３に開示されたものがある。これらについて簡単に説明すると、以下の通りである。
【０００３】
特許文献１には、回転ロータを構成する清掃体に、当該清掃体の回転軸に対して垂直な断面内でループを形成したループパイル部を設けることで、清掃体への繊維ゴミ等の絡みつきを防止するようにした掃除機用床ノズルが開示されている。
【０００４】
また、特許文献２には、一本の回転ブラシに、絨毯等の塵埃をかきあげるブレード部と、木床等の掃除および拭き磨きを行うブラシ部とを設けることで、回転ブラシを交換することなく、絨毯や木床の清掃を行うことが可能な電気掃除機の吸口体が開示されている。
【０００５】
また、特許文献３には、床面のゴミや埃を予め吸引しながら、アルカリイオン水により床面上の油脂汚れを分散させてローラで拭き取ることにより、住居洗剤を使用した場合と同等の洗浄効果が得られる電気掃除機が開示されている。
【０００６】
また、従来から、例えば図２１に示すような電気掃除機の吸込口体１００も知られている。この吸込口体１００は、床面と対向する底面位置に、空気を吸引するための吸込口１０１を備えており、その吸込口１０１に回転ブラシ１０２が設けられている。回転ブラシ１０２は、回転体１０３と、この回転体１０３に支持される２本のストレートブラシ１０４および２本のブレード１０５とで構成されている。
【０００７】
ストレートブラシ１０４は、各ブラシ糸の一端が基布に固定されてなっている。各ブラシ糸は、ストレートもしくは捲縮形状からなり、床面（特にフローリング）が損傷するのを回避すべく、例えばナイロンやポリプロピレンなどの柔らかい樹脂で構成されている。また、ブレード１０５は、絨毯上のゴミを効果的に掻き出すものであり、例えばゴムなどの弾性材で構成されている。
【０００８】
なお、ブレード１０５は、通常、床面（例えば畳やフローリングの表面）から離れた状態となるように回転体１０３にて支持されているが、床面が絨毯の場合には、絨毯が毛高であることによって、絨毯表面とブレード１０５とが接触するようになっている。これにより、床面が畳やフローリングである場合において、ブレード１０５による床面の損傷を回避することができる。
【０００９】
また、吸込口体１００の上記底面において、吸込口体１００の進行方向に対して回転ブラシ１０２の後方位置には、ブラシ素材糸からなるブラシ列体１０６が設けられている。このブラシ列体１０６は、吸込口体１００が床面に沿って移動したときに同時に床面と接触することによって、回転ブラシ１０２による清掃に加えて、床面の補助清掃を行う。
【００１０】
上記構成において、図示しない掃除機本体に内蔵される電動送風機が駆動されると、吸込口体１００の吸込口１０１より空気が吸引される。このとき、回転ブラシ１０２の回転体１０３の回転に伴うブレード１０５およびストレートブラシ１０４の回転により、吸引口１０１にて、床面の塵、埃、糸屑、髪の毛、砂などのゴミが掻き上げられるとともに床面の拭き磨きが行われる。そして、掻き上げたゴミは、空気とともに吸引され、掃除機本体の集塵装置にて取り除かれる。
【００１１】
【特許文献１】
特開２００２−５１７号公報（２００２年１月８日公開）
【特許文献２】
特開平６−１４８５３号公報（１９９４年１月２５日公開）
【特許文献３】
特開平１０−５７２８２号公報（１９９８年３月３日公開）
【００１２】
【発明が解決しようとする課題】
ところが、上記した従来技術の回転ブラシは、床面上のゴミとは回転ブラシの回転方向に沿って各ブラシ糸が線接触することによって上記ゴミを除去する構成のため、図２２に示すように、表面の滑らかな油脂１２１が床面上に存在する場合には、回転ブラシが回転しても、各ブラシ糸１２２は、この油脂１２１を掻き取ることはできず、油脂１２１を薄く伸ばしてしまうだけである。つまり、従来の回転ブラシでは、床面の油脂１２１を確実に拭き取ることができなかった。
【００１３】
さらに、従来の電気掃除機の吸込口体は、回転ブラシの回転のみによって床面上のゴミを除去する構成のため、特に、吸込口体の移動とともに移動しやすい床面付近の塵埃については、それを逃がさずに効率よく除去することができなかった。
【００１４】
本発明は、上記の問題点を解決するためになされたものであり、その目的は、回転ブラシを構成する各ブラシ糸の形状を適切に設定することによって、床面上の油脂汚れを確実に拭き取ることができるとともに、床面付近の塵埃の除去効率を確実に向上させることができる電気掃除機の吸込口体およびそれを備えた電気掃除機を提供することにある。
【００１５】
【課題を解決するための手段】
本発明によれば、回転体は、ブラシ部を支持する支持部を有している。この支持部は、回転体の周面を挟む両端面の各円周上の点を上記周面上で結ぶ線に沿って形成されている。したがって、支持部は、例えば、回転体の回転軸に沿うように形成されてもよいし、回転体の回転方向にひねられるように形成されてもよい。回転体が回転することにより、支持部にて支持されたブラシ部が回転することになる。
【００１６】
ここで、ブラシ部は、各ブラシ糸の両端を結ぶ線が上記支持部の形成方向に沿うように、各ブラシ糸の両端を基布に固定することによって、各ブラシ糸をループ状に形成したループブラシを有している。このようなループブラシでは、支持部が回転体周面にどのような方向に形成されていても（支持部が回転軸に沿って形成されていようが、回転方向にひねられて形成されていようが）、各ブラシ糸のループ部分が、回転体の回転方向を横切るようになるので、回転体を回転させると、各ブラシ糸のループを形成した面が、回転体の回転方向を横切りながら回転する。また、ブラシ部が、各ブラシ糸の両端を結ぶ線が回転体の回転軸方向に沿うように、各ブラシ糸の両端を基布に固定することによって、各ブラシ糸をループ状に形成したループブラシを有している場合でも、上記と同様のことが言える。その結果、床面に油脂が付着していても、その油脂をループブラシのループ面で掻き取るように、そのループ部分で確実に掻き取ることができる。その結果、床面上の油脂を確実に拭き取ることができる。
【００１７】
さらに、本発明によれば、ストレートブラシの回転半径方向の長さは、回転体の回転時に、ストレートブラシが回転体に対して一方の移動方向側（例えば前方）に位置する筐体壁部と接触するように設定されている。これにより、回転体の回転時に、筐体壁部がストレートブラシとの接触による摩擦により帯電するので、筐体壁部近傍（例えば床面付近）の塵埃が筐体壁部に静電吸着する。したがって、その後は、例えば、筐体壁部に吸着した塵埃を電動送風機によりまとめて吸引することが可能となり、その結果、床面付近の塵埃の除去効率を確実に向上させることができる。
【００１８】
また、回転体に対して一方の移動方向側の吸込口に位置する筐体壁部と上記ストレートブラシとの当たり量が１ｍｍ以上２ｍｍ以下で、かつ、床面と上記ストレートブラシとの当たり量が１ｍｍ以上２ｍｍ以下となるように、回転体が筐体にて軸支されていれば、塵埃を筐体壁部に静電吸着させるのに十分な量の静電気を発生させることができるとともに、床面の塵埃の除去効率を確実に上げることができる。特に、上記筐体壁部と上記ストレートブラシとの当たり量が１．５ｍｍで、かつ、床面と上記ストレートブラシとの当たり量が１．４ｍｍであれば、その効果を最大に得ることができる。
【００１９】
なお、本発明の電気掃除機の吸込口体およびそれを備えた電気掃除機は、以下の構成であってもよい。
【００２０】
すなわち、本発明の電気掃除機の吸込口体は、上述した吸込口体において、上記ブラシ部は、上記支持部にて支持され、上記ループブラシを挟持する弾性体をさらに有しており、上記ループブラシは、上記基布における各ブラシ糸の固定面とは反対側の裏面同士が対向するように、任意のブラシ糸の両端を結ぶ線に沿って上記基布が折り曲げられた状態で、上記弾性体にて挟持されている構成であってもよい。
【００２１】
本発明の電気掃除機の吸込口体は、上述した吸込口体において、上記弾性体は、上記ループブラシに対して上記回転体の回転方向上流側に位置する第１支持部と上記回転方向下流側に位置する第２支持部とで上記ブラシ部を挟持し、上記第１支持部における上記ループブラシの回転半径方向に沿った長さは、上記第２支持部の最大回転半径よりも上記第１支持部の最大回転半径が小さくなるように設定されている構成であってもよい。
【００２２】
本発明の電気掃除機の吸込口体は、上述した吸込口体において、上記第２支持部における上記ループブラシの回転半径方向に沿った長さは、上記ループブラシの最大回転半径よりも上記第２支持部の最大回転半径が小さくなるように設定されている構成であってもよい。
【００２３】
本発明の電気掃除機の吸込口体は、上述した吸込口体において、上記ブラシ部は、上記支持部の形成方向全域にわたって、上記回転体の周面から突出するように設けられ、上記ループブラシを支持する弾性体をさらに有しており、上記ループブラシの基布における各ブラシ糸の固定面とは反対側の裏面は、上記弾性体における上記回転体の回転方向上流側および下流側の各面を当該弾性体の突出先である先端部を介して覆うように、上記ループブラシの任意のブラシ糸の両端を結ぶ線に沿って基布が折り曲げられた状態で上記弾性体に貼り付けられている構成であってもよい。
【００２４】
本発明の電気掃除機の吸込口体は、上述した吸込口体において、上記ループブラシは、上記基布の裏面と上記先端部との間に所定の空間が形成されるように、上記弾性体に貼り付けられている構成であってもよい。
【００２５】
本発明の電気掃除機の吸込口体は、上述した吸込口体において、上記ブラシ部は、上記支持部の形成方向全域にわたって、上記回転体の周面から突出するように設けられ、上記ループブラシを支持する弾性体をさらに有しており、上記弾性体における上記回転体の回転方向下流側の面に、上記ループブラシの基布における各ブラシ糸の固定面とは反対側の裏面が貼り付けられている構成であってもよい。
【００２６】
本発明の電気掃除機の吸込口体は、上述した吸込口体において、上記弾性体は、上記支持部による支持側よりも当該弾性体の突出先である先端部のほうが、上記回転体の回転方向上流側に位置するように反っている構成であってもよい。
【００２７】
本発明の電気掃除機の吸込口体は、上述した吸込口体において、上記支持部は、上記ループブラシをその基布にて支持している構成であってもよい。
【００２８】
本発明の電気掃除機の吸込口体は、上述した吸込口体において、上記ループブラシの最大回転半径が、上記回転体の回転軸の中心から床面までの距離以上で、かつ、上記距離に２ｍｍを加えた値以下となるように、上記ループブラシの回転半径方向の長さが設定されている構成であってもよい。
【００２９】
本発明の電気掃除機の吸込口体は、上述した吸込口体において、上記ブラシ部は、上記支持部に支持される基布に各ブラシ糸の一端のみを固定したストレートブラシをさらに有しており、上記ストレートブラシの回転半径方向の長さは、上記ストレートブラシの最大回転半径が、上記回転体の回転軸の中心から上記筐体壁部までの距離に１ｍｍを加えた値以上で、かつ、上記距離に２ｍｍを加えた値以下となるように設定されている構成であってもよい。
【００３０】
本発明の電気掃除機は、上述した吸込口体と、上記吸込口体から塵埃を含む空気を吸引する電動送風機とを備えている構成であってもよい。
【００３１】
【発明の実施の形態】
〔実施の形態１〕
本発明の実施の一形態について、図１ないし図１０に基づいて説明すれば、以下の通りである。
【００３２】
図２は、本実施形態に係る電気掃除機の概略の構成を示している。上記の電気掃除機は、掃除機本体１と、延長管２と、吸込口体３とを有して構成されている。
【００３３】
掃除機本体１は、図示しない電動送風機と集塵装置とを備えている。電動送風機は、吸込口体３の吸込口５（図３参照）を介して空気を吸引するものである。集塵装置は、例えば紙パック、フィルタ、サイクロン集塵機などで構成され、吸引された空気中に含まれる塵埃や砂、その他のゴミを空気中から分離、除去するものである。
【００３４】
延長管２は、吸込口体３から吸引した空気を掃除機本体１に導くための連通路である。
【００３５】
吸込口体３は、図３に示すように、筐体４と、吸込口５と、ブラシ列体６とを有している。
【００３６】
筐体４は、後述する回転ブラシ１１（回転体１３）を収容するための収容体であり、例えばＡＢＳ樹脂（アクリロニトリル・ブタジエン・スチレン共重合体）で構成されている。筐体４は、回転ブラシ１１（回転体１３）の回転軸に対して垂直方向（前方および後方）で、床面に対して平行に往復移動することが可能であり、これによって回転ブラシ１１（回転体１３）を上記垂直方向に往復移動させる。また、筐体４は、回転体１３に対して前方、つまり、筐体４の一方の移動方向側（の吸込口５）に位置する前壁４ａ（筐体壁部）を有しており、この前壁４ａに後述するストレートブラシ２２が接触するようになっている。
【００３７】
吸込口５は、筐体４における床面と対向する底面に設けられた開口であり、この吸込口５から床面上のゴミとともに空気が吸引される。したがって、上記の筐体４は、床面上を移動させて塵埃を含む空気を吸い込む吸込口５を有するものと言える。また、回転ブラシ１１は、吸込口５にて回転できるように配置されている。なお、上記の床面とは、例えば、絨毯、畳、木床（フローリング）等の表面を総称して指している。
【００３８】
ブラシ列体６は、筐体４の上記底面において、吸込口５に対して前壁４ａとは反対側に設けられている。このブラシ列体６は、例えばナイロンなどのブラシ素材糸で構成されており、吸込口体３が床面に沿って移動したときに同時に床面と接触することによって、回転ブラシ１１による清掃とともに、床面の補助清掃を行う。
【００３９】
上記構成において、掃除機本体１に内蔵される電動送風機が駆動されると、吸込口体３の空気吸込口より空気が吸引される。このとき、吸込口体３内部の回転ブラシ１１の回転によって、吸込口５にて、床面の塵、埃、糸屑、髪の毛、砂などのゴミが掻き上げられて、空気とともに吸引され、延長管２を介して掃除機本体１の集塵装置に送られる。そして、この集塵装置によって、吸引された空気中のゴミが取り除かれる。
【００４０】
次に、上記した回転ブラシ１１について説明する。図１は、回転ブラシ１１の概略の構成を示している。回転ブラシ１１は、ブラシ部１２と、回転体１３とを備えている。回転体１３は、ブラシ部１２を支持するものである。以下、まず、ブラシ部１２について説明する。
【００４１】
ブラシ部１２は、基布に固定した複数のブラシ糸を有し、回転体１３の回転によって床面を清掃するものであり、本実施形態では、２個の第１ブラシ部２１と２個の第２ブラシ部３１とで構成されている。なお、第１ブラシ部２１および第２ブラシ部３１の数は、上記の数に限定されるわけではない。
【００４２】
第１ブラシ部２１は、各ブラシ糸２２ａの一端のみを基布２２ｂに固定したストレートブラシ２２で構成されている。各ブラシ糸２２ａは、床面が損傷するのを回避すべく、例えばナイロンやポリプロピレンなどの柔らかい樹脂で構成されている。
【００４３】
本実施形態では、ストレートブラシ２２の回転半径方向の長さは、回転体１３の回転時に、ストレートブラシ２２が前壁４ａと接触するように設定されている。つまり、ストレートブラシ２２の最大回転半径が、回転体１３の回転軸の中心から前壁４ａまでの距離以上となるように、ストレートブラシ２２の回転半径方向の長さが設定されている。
【００４４】
このようにストレートブラシ２２の回転半径方向の長さが設定されていることにより、回転体１３が回転すると、ストレートブラシ２２の各ブラシ糸２２ａの先端が前壁４ａに接触し、このときの摩擦によって、前壁４ａが例えばマイナスに帯電する。その結果、前壁４ａ近傍（例えば床面付近）に存在する塵埃が前壁４ａの表面に静電吸着する。したがって、その後は、前壁４ａに吸着した塵埃を、掃除機本体１内の電動送風機によって、まとめて吸引することが可能となる。つまり、前壁４ａにて発生した静電気により、吸込口体３下部の塵埃を引き寄せて捕塵することが可能となる。その結果、床面付近の塵埃の除去効率を確実に向上させることができる。なお、前壁４ａにて発生する静電気量に基づくストレートブラシ２２の回転半径方向の長さ設定の詳細については後述する。
【００４５】
次に、第２ブラシ部３１について説明する。第２ブラシ部３１は、ループブラシ３２と、ブレード３３とで構成されている。
【００４６】
ループブラシ３２は、図４に示すように、各ブラシ糸３２ａの両端をループ状に基布３２ｂに固定してなっており、基布３２ｂ上では、各ブラシ糸３２ａの両端を結ぶ線は、全て一方向（図４では横方向）に沿っている。各ブラシ糸３２ａは、床面が損傷するのを回避すべく、例えばナイロンやポリプロピレンなどの柔らかい樹脂で構成されている。また、基布３２ｂは、例えばナイロンやポリウレタンなどの伸縮性のある材料で構成されている。
【００４７】
ブレード３３は、ループブラシ３２を挟持するものであり、例えばゴムのような弾性体で構成されている。ブレード３３が回転体１３の後述する支持部４１ｂにて支持されることで、ループブラシ３２が回転体１３に支持される。また、ブレード３３は、例えば絨毯表面を叩くことによって絨毯上のゴミを掻き上げる機能も有している。さらに、ブレード３３は弾力性を有しているので、ブレード３３にて挟持されたループブラシ３２が床面に接触する際の衝撃を、ブレード３３にて吸収することができ、ループブラシ３２にかかる負荷を軽減することができる。
【００４８】
なお、第２ブラシ部３１は、本発明の最も特徴的な部分であるため、その詳細については後述することとする。
【００４９】
次に、回転体１３について説明する。回転体１３は、床面と平行に位置する回転軸を中心にして、ブラシ部１２を支持しながら回転させるものであり、そのブラシ部１２を支持する支持部４１を有している。つまり、回転体１３は、所定の長さのブラシ糸を有し、筐体４内に回転可能に軸支されているものである。
【００５０】
より詳細には、支持部４１は、第１ブラシ部２１を支持する支持部４１ａと、第２ブラシ部３１を支持する支持部４１ｂとで構成されている。支持部４１ａ・４１ｂは、第１ブラシ部２１および第２ブラシ部３１の数に対応した数だけ設けられればよく、それゆえ、本実施形態では、２個の支持部４１ａと２個の支持部４１ｂとが回転体１３に設けられている。
【００５１】
支持部４１は、回転体１３の周面を挟む両端面の各円周上の点を上記周面上で結ぶ線に沿って形成された溝である。第１ブラシ部２１は、その基布２２ｂが支持部４１ａに挿入されることで、直接、支持部４１ａにて支持される。一方、第２ブラシ部３１は、ループブラシ３２を挟持するブレード３３が支持部４１ｂに挿入されることで、支持部４１ｂに支持される。
【００５２】
支持部４１ａ・４１ｂは、回転体１３の周面に沿って、その回転軸方向全域にわたって形成されるのであれば、回転体１３の回転軸に沿うように形成されてもよく、また、回転体１３の回転方向にひねられるように形成されてもよい。
【００５３】
また、支持部４１ａ・４１ｂは、回転体１３の回転方向においては、交互に等間隔で設けられている。これにより、回転体１３が回転したときには、支持部４１ａにて支持されているストレートブラシ２２の各ブラシ糸２２ａと、支持部４１ｂにてブレード３３を介して支持されているループブラシ３２の各ブラシ糸３２ａとが交互に床面に接触するようになる。その結果、ストレートブラシ２２による上述した帯電と、ループブラシ３２による床面の拭き磨きとを効率よく行うことができる。このことから、支持部４１は、回転体１３の回転により、ストレートブラシ２２とループブラシ３２とが交互に床面に接触するように、ブラシ部１２を支持していると言える。
【００５４】
次に、第２ブラシ部３１の詳細について説明する。
まず、ブレード３３の詳細について説明する。
図５は、ブレード３３を回転体１３の回転軸に垂直な平面で切ったときのブレード３３の断面図である。ブレード３３は、第１支持部３３ａと、第２支持部３３ｂと、第３支持部３３ｃとで構成されている。第１支持部３３ａおよび第２支持部３３ｂは、ループブラシ３２（図１参照）を挟持して支持するものであり、第１支持部３３ａは、ループブラシ３２（ループブラシ３２の挟持位置）に対して回転体１３の回転方向上流側に位置する一方、第２支持部３３ｂは、ループブラシ３２（ループブラシ３２の挟持位置）に対して上記回転方向下流側に位置している。
【００５５】
第１支持部３３ａおよび第２支持部３３ｂは、その端部同士が連結されており、その連結部にて第３支持部３３ｃと連結されている。第３支持部３３ｃは、第１支持部３３ａおよび第２支持部３３ｂを支持するものであり、回転体１３の支持部４１ｂの内壁にほぼ沿うような断面形状となっている。これにより、第３支持部３３ｃを回転体１３の支持部４１ｂに挿入することができ、また、このような挿入によって、ブレード３３全体が支持部４１ｂを介して回転体１３に支持されることになる。また、第１支持部３３ａ、第２支持部３３ｂおよび第３支持部３３ｃは、回転体１３の周面に沿った支持部４１ｂの形成方向全域に対応する長さを有している。
【００５６】
また、第１支持部３３ａおよび第２支持部３３ｂにおけるループブラシ３２の回転半径方向に沿った長さは、以下のように設定されている。すなわち、第１支持部３３ａにおけるループブラシ３２の回転半径方向に沿った長さは、第２支持部３３ｂの最大回転半径よりも第１支持部３３ａの最大回転半径が小さくなるように設定されている。また、第２支持部３３ｂにおけるループブラシ３２の回転半径方向に沿った長さは、ループブラシ３２の最大回転半径よりも第２支持部３３ｂの最大回転半径が小さくなるように設定されている。
【００５７】
上記前者の設定により、回転体１３の回転に伴ってループブラシ３２が回転し、ループの先端が床面に接触したときに、上記ループの先端を回転体１３の回転方向上流側に逃がすことができる。この場合、上記ループの先端にかかる負荷を軽減して、その磨耗を軽減することができ、ループブラシ３２の耐久性を向上させることができる。また、そればかりでなく、上記ループの先端が上記回転方向上流側に逃げることによって、ループブラシ３２と床面との接触面積が増加するので、床面の拭き磨きの効果を格段に上げることができる。
【００５８】
また、上記後者の設定により、床面が例えば平坦なフローリングや畳の場合は、ループブラシ３２が床面と接触し、ブレード３３は床面と接触しない。一方、床面が例えば絨毯の場合は、絨毯が毛高であることによって、絨毯表面とブレード３３の第２支持部３３ｂとが接触するので、絨毯上のゴミを叩き出すことができる。したがって、床面が絨毯以外の場合に、ブレード３３の接触によって床面が損傷するのを回避することができる。その一方で、床面が絨毯の場合には、ブレード３３によって絨毯上の清掃を確実に行うことができる。
【００５９】
また、第２支持部３３ｂの先端部（第１支持部３３ａとの連結側とは反対側の端部）における、回転体１３の回転方向下流側の表面は、細かい凹凸を形成した粗面となっている。回転体１３が回転したときには、ループブラシ３２が床面（例えば絨毯）と接触する前に、それよりも回転方向下流側にあるブレード３３の第２支持部３３ｂが床面と接触することになるが、第２支持部３３ｂの上記表面が粗面となっていることにより、当該表面にて絨毯上のゴミを確実に叩き出すことができ、ゴミの除去効果を上げることができる。
【００６０】
次に、本発明の最も特徴部分であるループブラシ３２について説明する。
ループブラシ３２は、図４に示したように、各ブラシ糸３２ａの両端が全て一方向に沿って基布３２ｂ上に固定されることで、各ブラシ糸３２ａが基布３２ｂ上でループ状に形成されたものであるが、ブレード３３に挟持されるときは、図６に示すように、基布３２ｂにおける各ブラシ糸３２ａの固定面とは反対側の裏面同士が対向するように、任意のブラシ糸３２ａの両端を結ぶ線に沿って基布３２ｂが折り曲げられた状態で、ブレード３３にて挟持されている。
【００６１】
なお、ループブラシ３２をブレード３３にて確実に支持させるために、同図に示すように、ループブラシ３２とブレード３３とを縫製してもよい。
【００６２】
このような状態でループブラシ３２をブレード３３にて挟持すると、ループブラシ３２の各ブラシ糸３２ａの両端を結ぶ線が、回転体１３の周面に沿った支持部４１ｂの形成方向全域に対応する長さを一方向に持つブレード３３の第３支持部３３ｃの上記一方向に沿うようになる。したがって、ループブラシ３２を挟持したまま、ブレード３３の第３支持部３３ｃを支持部４１ｂに挿入すると、ループブラシ３２の各ブラシ糸３２ａの両端を結ぶ線が、回転体１３の支持部４１ｂの形成方向に沿うようになる。したがって、この状態では、ループブラシ３２は、各ブラシ糸３２ａの両端を結ぶ線が支持部４１ｂの形成方向に沿うように、各ブラシ糸３２ａの両端を基布３２ｂに固定することによって各ブラシ糸３２ａをループ状に形成したものであると言える。
【００６３】
この場合、回転体１３の周面において、支持部４１ｂが回転軸に沿って形成されていても、回転方向にひねられて形成されていても、各ブラシ糸３２ａのループ部分が、回転体１３の回転方向を横切るように位置するようになる。よって、この状態で回転体１３を回転させると、ループブラシ３２の各ブラシ糸３１ａのループを形成した面が、回転体１３の回転方向を横切ったまま回転するようになり、図７に示すように、床面に油脂１４が付着していても、その油脂１４をループブラシ３２のループ面でヘラのように掻き取ることができる。よって、本実施形態の回転ブラシ１１の構成によれば、ループブラシ３２のループ部分で効率よく、かつ、確実に油脂１４を掻き取ることができる。
【００６４】
ここで、ループブラシ３２が床面に接触するためには、ループブラシ３２の最大回転半径が、回転体１３の回転軸の中心から床面までの距離以上であることが最低限必要である。一方、上記最大回転半径が上記距離に２ｍｍを加えた値よりも大きいと、ループブラシ３２と床面との摩擦によるループブラシ３２の磨耗、損傷が激しくなり、ループブラシ３２の耐久性が劣化することが確認できている。
【００６５】
したがって、ループブラシ３２の回転半径方向の長さは、ループブラシ３２の最大回転半径が、回転体１３の回転軸の中心から床面までの距離以上で、かつ、上記距離に２ｍｍを加えた値以下となるように設定されているのが望ましい。これにより、ループブラシ３２の耐久性をある程度維持しながら、ループブラシ３２による床面の油脂１４の掻き取り効果を得ることができる。
【００６６】
また、ループブラシ３２の回転半径方向の長さは、ループブラシ３２の最大回転半径が回転体１３の回転軸の中心から前壁４ａまでの距離よりも短くなるように設定されていることが望ましい。これにより、ループブラシ３２の毛先が、前壁４ａとの接触により磨耗、損傷するのを回避して、ループブラシ３２を床面の油脂１４の掻き取り専用のブラシとして用いることが可能となる。また、この場合、ストレートブラシ２２の毛先だけを前壁４ａに当てるように回転体１３を回転させることができるので、ストレートブラシ２２を、前壁４ａの帯電専用のブラシとして用いることが可能となる。また、ストレートブラシ２２の最大回転半径よりもループブラシ３２の最大回転半径のほうが小さくなるので、ループブラシ３２を保護することができるとともに、絨毯上の糸や髪の毛のループブラシ３２への絡みつきを防止することができる。
【００６７】
また、ストレートブラシ２２は、従来であれば、床面の拭き磨き（特にフローリングのからぶき）に供されているが、本実施形態では、そのような床面の拭き磨きの機能をループブラシ３２に持たせているため、ストレートブラシ２２に上述した機能、つまり、前壁４ａを帯電させて前壁４ａに塵埃を静電吸着させるという従来とは別の機能を持たせることができる。言い換えれば、本実施形態の回転ブラシ１１は、床面の拭き磨きに絶大な効果を発揮するループブラシ３２を有しているからこそ、従来、床面の拭き磨きに用いられていたストレートブラシ２２を、前壁４ａの帯電専用のブラシとして用いることができると言える。
【００６８】
このように、本発明は、ループブラシ３２を用いた点に第１の特徴があるが、そのループブラシ３２を用いた結果として、ストレートブラシ２２に従来とは異なる機能を持たせた点に第２の特徴がある。その結果、床面の拭き磨きの効果と塵埃の除去効果とを同時に満足させる回転ブラシ１１および吸込口体３を得ることができる。
【００６９】
次に、ストレートブラシ２２の回転半径方向の長さ設定の詳細について説明する。
【００７０】
本実施形態では、▲１▼ストレートブラシ２２の毛先の前壁４ａに対する当たり量（各ブラシ糸２２ａを直線と仮定した場合のストレートブラシ２２と前壁４ａとのオーバーラップ量）を変化させて、そのとき前壁４ａにて発生する静電気（ｋＶ）がどの程度変化するか、▲２▼ストレートブラシ２２の毛先の床面に対する当たり量（各ブラシ糸２２ａを直線と仮定した場合のストレートブラシ２２と床面とのオーバーラップ量）を変化させて、そのときのダストリムーバル（％）がどの程度変化するか、の各実験を行い、その結果に基づいてストレートブラシ２２の回転半径方向の長さを設定した。
【００７１】
上記▲１▼の実験方法は、以下の通りである。すなわち、前壁４ａおよび吸込口５を除電ブラシにて除電した後、ストレートブラシ２２の前壁４ａに対する当たり量を３通り変化させ、その各々の場合において１分間回転ブラシ１１を回転させ、前壁４ａから距離５ｃｍの位置にて、静電気測定器により静電気を測定した。図８は、各ブラシ糸２２ａの前壁４ａとの当たり量（ｍｍ）と、そのとき前壁４ａにて発生する静電気の値（ｋＶ）との関係を示し、図９は、それらの測定結果を基にして上記両者の関係をグラフ化したものである。
【００７２】
また、上記▲２▼の実験については、ＪＩＳ（日本工業規格）Ｃ９８０２の『家庭用電気掃除機の性能測定方法』にて規定された方法でダストリムーバルの測定を行った。なお、ダストリムーバルとは、指定されたクリーニングサイクル中に除去される塵埃の量と、テスト範囲上に散布された塵埃の量との比率をパーセントで表したもの、すなわち、（規定回数で除去された塵埃の量／散布した塵埃の量）×１００で示される値である。図１０は、各ブラシ糸２２ａの床面との当たり量（ｍｍ）と、そのときのダストリムーバルとの関係をグラフ化したものである。
【００７３】
図９の結果より、ストレートブラシ２２と前壁４ａとの当たり量が１ｍｍ以上２ｍｍ以下では、最低でも０．４ｋＶという塵埃を吸着させるには十分な量の静電気が発生している。よって、ストレートブラシ２２の回転半径方向の長さは、上記当たり量が１ｍｍ以上２ｍｍ以下となるように、すなわち、ストレートブラシ２２の最大回転半径が、回転体１３の回転軸の中心から前壁４ａまでの距離に１ｍｍを加えた値以上で、かつ、上記距離に２ｍｍを加えた値以下となるように設定されるのが望ましいと言える。これにより、前壁４ａに十分な静電気を発生させて、塵埃の除去効率を確実に向上させることができる。特に、上記当たり量が１．５ｍｍのときは、図９の結果より、その効果を最大に得ることができると言える。
【００７４】
このとき、ループブラシ３２は前壁４ａとは接触せず、ストレートブラシ２２と前壁４ａとの当たり量が最大２ｍｍであることを考慮すると、ストレートブラシ２２の回転半径方向の長さと、ループブラシ３２の回転半径方向の長さとの差は、１ｍｍ以上２ｍｍ以下となる（ただし、ストレートブラシ２２の最大回転半径＞ループブラシ３２の最大回転半径）。
【００７５】
また、図１０の結果より、ストレートブラシ２２と床面との当たり量が１ｍｍ以上２ｍｍ以下では、ダストリムーバルがピーク（７３．５％）に近い値が得られており、塵埃の除去効果が高いことがわかる。よって、ストレートブラシ２２の回転半径方向の長さは、上記当たり量が１ｍｍ以上２ｍｍ以下となるように、すなわち、ストレートブラシ２２の最大回転半径が、回転体１３の回転軸の中心から床面までの距離に１ｍｍを加えた値以上で、かつ、上記距離に２ｍｍを加えた値以下となるように設定されるのが望ましいと言える。これにより、回転ブラシ１１全体による高い塵埃除去効果を得ることができる。特に、上記当たり量がダストリムーバルのピーク（７３．５％）に対応する１．４ｍｍのときは、図１０の結果より、その効果を最大に得ることができると言える。
【００７６】
以上のことから、前壁４ａとストレートブラシ２２との当たり量が１ｍｍ以上２ｍｍ以下（好ましくは１．５ｍｍ）で、かつ、床面とストレートブラシ２２との当たり量が１ｍｍ以上２ｍｍ以下（好ましくは１．４ｍｍ）となるように、回転体１３（または回転ブラシ１１）が筐体４にて軸支されていれば、塵埃除去のための静電気を十分に発生させて、床面の塵埃を確実に除去することができると言える。
【００７７】
なお、ストレートブラシ２２の使用経過に応じて、ストレートブラシ２２と床面との当たり量を調整可能とする構成としてもよい。例えば、▲１▼回転体１３（または回転ブラシ１１）の回転軸を上下方向に調整可能とし、ストレートブラシ２２が磨耗してきたときに、上記回転軸を床面に接近する方向に移動させて、上記当たり量を上記した適正範囲に収めるようにしてもよい。また、▲２▼吸込口体３を床面に沿って移動させるための車輪の高さ位置を上下方向に調整可能とし、ストレートブラシ２２が磨耗してきたときに、上記車輪の位置を床面から上げることによって、ストレートブラシ２２と床面との距離を相対的に縮め、これによって上記当たり量を上記した適正範囲に収めるようにしてもよい。
【００７８】
ところで、本実施形態のループブラシ３２は、ループブラシ３２を挟持したブレード３３を回転体１３の支持部４１ｂに挿入したときに、各ブラシ糸３２ａの両端を結ぶ線が支持部４１ｂの形成方向に沿うようになっているが、ブレード３３を支持部４１ｂに挿入したときに、各ブラシ糸３２ａの両端を結ぶ線が回転体１３の回転軸方向に沿うようになっていてもよい。つまり、ループブラシ３２は、各ブラシ糸３２ａの両端を結ぶ線が回転体１３の回転軸方向に沿うように、各ブラシ糸３２ａの両端を基布３２ｂに固定することによって各ブラシ糸３２ａをループ状に形成したものであってもよい。
【００７９】
このようなループブラシ３２は、例えば、基布３２ｂの折り目が、支持部４１ｂの回転方向のひねりを考慮した分だけ図１および図６の折り目とは傾くように基布３２ｂを折り曲げ、ブレード３３にて挟持することで実現可能である。この場合、基布３２ｂを折り曲げてブレード３３にて挟持したときには、基布３２ｂにおける各ブラシ糸３２ａの両端を結ぶ線が、支持部４１ｂの形成方向に対応するブレード３３の長手方向とはなっていないが、回転体１３の回転方向にひねられた支持部４１ｂにブレード３３を挿入してはじめて、基布３２ｂにおける各ブラシ糸３２ａの両端を結ぶ線が、回転体１３の回転軸方向に沿うようになる。この構成のループブラシ３２の場合、ループブラシ３２の各ブラシ糸３２ａにおけるループを形成した面が、回転体１３の回転方向に対して完全に垂直となったまま回転するので、床面の油脂１４の掻き取り効果を最大限に得ることができる。
【００８０】
なお、ループブラシ３２の各ブラシ糸３２ａは、径が細くなればなるほど、床面の油脂１４の掻き取り性能は向上するが、その耐久性は低下する（床面との摩擦による損傷が激しくなる）。したがって、各ブラシ糸３２ａの径は、掻き取り性能と耐久性とのバランスを考慮した上で設定されればよい。また、各ブラシ糸３２ａの密度についても、各ブラシ糸３２ａの耐久性との兼ね合いで設定されればよい。
【００８１】
なお、吸込口体３の底面に設けられるブラシ列体６（図３参照）は、上述したループブラシ３２で構成されても構わない。この場合、ループブラシ３２のループ面が吸込口体３の移動方向を横切るように、つまり、各ブラシ糸３２ａの両端を結ぶ線が回転体１３の回転軸方向に沿うように、各ブラシ糸３２ａの両端を基布３２ｂに固定したループブラシ３２を吸込口体３の底面に取り付ければよい。
【００８２】
〔実施の形態２〕
本発明の他の実施の形態について、図１１ないし図１５（ａ）（ｂ）に基づいて説明すれば、以下の通りである。なお、実施の形態１と同一の構成には同一の部材番号を付記し、その説明を省略する。
【００８３】
本実施形態では、実施の形態１の第２ブラシ部３１（図１、図６参照）を、図１１に示す第２ブラシ部５１に置き換えた以外は、実施の形態１と同様である。第２ブラシ部５１は、図１１に示すように、実施の形態１で用いたループブラシ３２と、ブレード５２（弾性体）とで構成されている。
【００８４】
ブレード５２は、ループブラシ３２を支持するものであり、そのループブラシ３２が貼り付けられる第１支持部５２ａと、第１支持部５２ａに連結されるとともに、回転体１３の支持部４１ｂに挿入可能な断面形状で形成される第２支持部５２ｂとで構成されている。ブレード５２の第２支持部５２ｂを回転体１３の支持部４１ｂに挿入することによって、ブレード５２全体が支持部４１ｂを介して回転体１３に支持されることになる。
【００８５】
また、第１支持部５２ａおよび第２支持部５２ｂは、回転体１３の周面に沿った支持部４１ｂの形成方向全域に対応する長さを有している。これにより、ブレード５２の第２支持部５２ｂを回転体１３の支持部４１ｂに挿入したときには、ブレード５２の第１支持部５２ａが、回転体１３の支持部４１ｂの形成方向全域にわたって、回転体１３の周面から突出するようになっている。したがって、ブレード５２は、支持部４１ｂの形成方向全域にわたって、回転体１３の周面から突出するように設けられていると言える。
【００８６】
本実施形態では、ループブラシ３２は、図１２に示すように、ブレード５２における回転体１３の回転方向上流側および下流側の各面をブレード５２の突出先である先端部５３を介して覆うように、ループブラシ３２の基布３２ｂにおける各ブラシ糸３２ａの固定面とは反対側の裏面がブレード５２に貼り付けられている。このとき、ループブラシ３２は、任意のブラシ糸３２ａの両端を結ぶ線に沿って基布３２ｂが折り曲げられた状態で、ブレード５２に貼り付けられている。なお、上記の貼り付けは、縫製による貼り付けであってもよいし、接着剤を用いた貼り付けであってもよい。
【００８７】
このように第２ブラシ部５１を構成しても、ループブラシ３２をブレード５２に貼り付けときには、ループブラシ３２の各ブラシ糸３２ａの両端を結ぶ線が、回転体１３の周面に沿った支持部４１ｂの形成方向全域に対応する長さを一方向に持つブレード５２の第２支持部５２ｂの上記一方向に沿うようになる。したがって、ループブラシ３２を第１支持部５２ａに貼り付けたブレード３３の第２支持部５２ｂを支持部４１ｂに挿入すると、ループブラシ３２の各ブラシ糸３２ａの両端を結ぶ線が、回転体１３の支持部４１ｂの形成方向に沿うようになる。
【００８８】
よって、この状態で回転体１３を回転させると、ループブラシ３２の各ブラシ糸３１ａのループを形成した面が、回転体１３の回転方向を横切ったまま回転するようになるので、実施の形態１と同様に、ループブラシ３２のループ部分で床面上の油脂をヘラのように効率よく、かつ、確実に掻き取ることができる。
【００８９】
次に、本実施形態では、回転ブラシ１１の構成を種々変えて、床面の清掃効果を試すための実験を行った。図１３は、回転ブラシ１１の各仕様ごとの実験結果を示している。
【００９０】
なお、ロットＮｏ．１は、２本のストレートブラシと２本のブレードとからなる従来の回転ブラシと同等のものであり、ロットＮｏ．２およびロットＮｏ．３は、２個の第１ブラシ部２１（ストレートブラシ２２）と２個の第２ブラシ部５１（ループブラシ３２＋ブレード５２）とを有する本実施形態の回転ブラシ１１である。ただし、ロットＮｏ．２とロットＮｏ．３とでは、ループブラシ３２およびブレード５２の最大回転半径がそれぞれ異なっている。また、ロットＮｏ．４は、２本のブレードと２個の第２ブラシ部５１（ループブラシ３２＋ブレード５２）を有する回転ブラシである。なお、ロットＮｏ．２〜ロットＮｏ．４のループブラシ３２は、毛高（各ブラシ糸３２ａの基布３２ｂからの高さ）４ｍｍのものを用いた。また、図中の「φ」は、回転径（ｍｍ）、すなわち、最大回転半径（ｍｍ）×２を示している。
【００９１】
また、除去する対象は、黒板につけられた手形（油分）と、絨毯（毛高７ｍｍ）上のゴミである。実験方法は、回転ブラシを回転させながら吸込口体３を黒板上および絨毯上で往復運動させた。また、図中の電流値とは、回転ブラシを回転させるための駆動電流の値である。ダストリムーバルについては、実施の形態１で説明した通りである。また、操作力とは、吸込口体３を絨毯上で前進または後退させるのに必要な力を示している。
【００９２】
図１３の結果より、ロットＮｏ．１では、絨毯上のゴミの除去効果（ダストリムーバル）は高いが、黒板上の手形の除去効果がほとんどないことを示している。なお、ロットＮｏ．１の回転ブラシを黒板上で２往復させた後、２本のストレートブラシを２本のループブラシ（毛高６ｍｍで、ロットＮｏ．２〜ロットＮｏ．４のループブラシよりもブラシ糸３２ａの密度が大のもの）を有する回転ブラシに交換して、これを黒板上で１往復させると、黒板上の手形を完全に拭き取ることができた。
【００９３】
一方、ロットＮｏ．２およびロットＮｏ．３では、絨毯上のゴミの除去効果については、ロットＮｏ．１と比べると値としては低いが、ほとんど変わらないと言える。しかし、黒板上の手形の除去効果については、拭き取り回数に多少のバラツキがあるものの、ロットＮｏ．１に比べて顕著に現れていることが確認できた。また、ロットＮｏ．４では、黒板の手形の除去効果がロットＮｏ．２およびロットＮｏ．３と同等であり、絨毯上のゴミの除去効果についてはロットＮｏ．１と同等であった。
【００９４】
以上の結果から、少なくとも、ループブラシ３２を用いるロットＮｏ．２〜Ｎｏ．４は、ループブラシ３２を用いないロットＮｏ．１よりも、油分の除去効果が高いと言える。特に、ロットＮｏ．４では、回転ブラシ１１の駆動電流を低く抑えながら、油分を除去することができると言える。
【００９５】
ところで、本実施形態のように、ループブラシ３２をブレード５２に巻き付けて第２ブラシ部５１を形成する場合、図１４に示すように、ループブラシ３２の基布３２ｂの裏面とブレード５２の先端部５３との間に所定の空間が形成されるように、ループブラシ３２をブレード５２に貼り付けるようにしてもよい。この場合、ループブラシ３２が床面に当たるときの衝撃を上記所定の空間で吸収することができ、ループブラシ３２の損傷を軽減することができる。
【００９６】
また、上記所定の空間が設けられていることで、ループブラシ３２が回転したときに、ループブラシ３２における床面との接触部が、回転体１３の回転方向上流側に逃げるように、ループブラシ３２を変形させることができる。よって、ループブラシ３２がこのように変形した場合には、ループブラシ３２が床面と面接触するようになり、ループブラシ３２による床面の拭き磨きの効果をより高めることができる。
【００９７】
次に、本実施形態では、図１１に示した第２ブラシ部５１と、図１４に示した第２ブラシ部５１とで、ループブラシ３２の耐久性についての実験を行った。図１５（ａ）（ｂ）は、清掃対象がフローリングおよび絨毯の場合のループブラシ３２の耐久性についての実験結果をそれぞれ示している。
【００９８】
なお、ロットＮｏ．５は、基布３２ｂの裏面とブレード５２の先端部５３との間に空間が形成されないように、ループブラシ３２をブレード５２に貼り付けた第２ブラシ部５１（図１１参照）を有する回転ブラシ１１である。また、ロットＮｏ．６およびロットＮｏ．７は、基布３２ｂの裏面とブレード５２の先端部５３との間に空間が形成されるように、ループブラシ３２をブレード５２に貼り付けた第２ブラシ部５１（図１４参照）を有する回転ブラシ１１である。ただし、ロットＮｏ．６とロットＮｏ．７とでは、第２ブラシ部５１の回転数が若干異なっているが、誤差の範囲と考えてもよい。
【００９９】
また、ロットＮｏ．５およびロットＮｏ．６では、ループブラシ３２の各ブラシ部３１ａは同じ繊維（例えばナイロン）で構成されており、基布３２ｂは伸びやすい繊維（例えばナイロン＋ポリウレタン）で構成されている。ロットＮｏ．７では、ループブラシ３２の各ブラシ部３１ａおよび基布３２ｂは、ともにナイロンで構成されている。ロットＮｏ．５〜ロットＮｏ．７のブレード５２は、いずれも厚さ０．６ｍｍとした。
【０１００】
以上の実験から、以下のようなことがわかった。
▲１▼ループブラシ３２とブレード５２との間に空間を設けない場合は、床面に対するループブラシ３２の抵抗が大きくなり、ループブラシ３２の各ブラシ糸３２ａの耐久性が劣化する。一方、上記空間を設ける場合には、上記抵抗が減るため、各ブラシ糸３２ａの耐久性は向上する。
▲２▼ロットＮｏ．５は、回転により繊維が伸びていき、床面との当たりが強くなることによって各ブラシ糸３２ａの磨耗が進行したものと思われる。
▲３▼ロットＮｏ．５およびロットＮｏ．６は、ロットＮｏ．７に比べてループ部分が若干散らしたような形状となっているため、少々磨耗しても見た目にはわかりずらかった。
▲４▼磨耗の進行は、全て、床面との接触部から始まる。
▲５▼磨耗以外に毛の抜け、ほつれ等はなかった。
【０１０１】
つまり、ループブラシ３２とブレード５２との間に空間を設けるほうがループブラシ３２の耐久性がよく、また、基布３２ｂとして伸びる繊維を用いるほうがループブラシ３２の耐久性がよいと言える。
【０１０２】
〔実施の形態３〕
本発明のさらに他の実施の形態について、図１６ないし図１９に基づいて説明すれば、以下の通りである。なお、実施の形態１・２と同一の構成には同一の部材番号を付記し、その説明を省略する。
【０１０３】
本実施形態では、実施の形態１の第２ブラシ部３１（図１、図６参照）を、図１６に示す第２ブラシ部６１に置き換えた以外は、実施の形態１と同様である。第２ブラシ部６１は、図１６に示すように、実施の形態１・２で用いたループブラシ３２と、実施の形態２で用いたブレード５２（弾性体）とで構成されているが、本実施形態では、ループブラシ３２のブレード５２への貼り付け方が、実施の形態２とは異なっている。
【０１０４】
すなわち、本実施形態では、ループブラシ３２は、図１６に示すように、ブレード５２における回転体１３の回転方向下流側の面にのみ、ループブラシ３２の基布３２ｂにおける各ブラシ糸３２ａの固定面とは反対側の裏面が貼り付けられている。図１７は、このようにしてループブラシ３２をブレード５２に貼り付けた第２ブラシ部６１の斜視図を示している。
【０１０５】
第２ブラシ部６１を形成するときは、ループブラシ３２の各ブラシ糸３２ａの両端を結ぶ線が、回転体１３の周面に沿った支持部４１ｂの形成方向全域に対応する長さを一方向に持つブレード５２の第２支持部５２ｂの上記一方向に沿うように、ループブラシ３２をブレード５２に貼り付ければよい。この状態でブレード５２の第２支持部５２ｂを回転体１３の支持部４１ｂに挿入すると、ループブラシ３２の各ブラシ糸３２ａの両端を結ぶ線が、回転体１３の支持部４１ｂの形成方向に沿うようになる。
【０１０６】
一方、ループブラシ３２の回転半径方向の長さは、ループブラシ３２の最大回転半径が、回転体１３の回転軸の中心から床面までの距離以上に設定されているので、この第２ブラシ部６１を取り付けた回転体１３を回転させると、図１８に示すように、ブレード５２が反りながらループブラシ３２が床面との接触部において面接触する。そして、この接触部においては、ループブラシ３２の各ブラシ糸３１ａのループを形成した面が、回転体１３の回転方向を横切ったまま回転する。
【０１０７】
したがって、本実施形態の第２ブラシ部６１を用いた場合でも、実施の形態１と同様に、ループブラシ３２のループ部分で床面上の油脂をヘラのように効率よく、かつ、確実に掻き取ることができる。また、ループブラシ３２は床面と面で接触するので、接触面積が増えることにより、床面の掻き取り性能を向上させることができる。
【０１０８】
ところで、本実施形態では、回転体１３の周面から回転半径方向に突出するブレード５２を用いた場合について説明したが、図１９に示すように、支持部４１ｂ（図１参照）による支持側よりもブレード５２の突出先である先端部５３のほうが、回転体１３の回転方向上流側に位置するように反っているブレード５２を用いるようにしてもよい。
【０１０９】
この場合、ループブラシ３２が回転したときには、ループブラシ３２が床面と最初から面で接触するので、ループブラシ３２が床面に当たるときの衝撃が、ブレード５２が回転体１３の周面に垂直に突出する図１６の構成の場合よりも幾分和らげられる。よって、ループブラシ３２の損傷および磨耗を軽減することができる。
【０１１０】
なお、図１９のようにブレード５２を最初から反らせる構成は、ブレード５２にループブラシ３２を貼り付ける構成であれば、どのような構成にも適用することができ、勿論、実施の形態２にも適用することができる。
【０１１１】
〔実施の形態４〕
本発明のさらに他の実施の形態について、図２０に基づいて説明すれば、以下の通りである。なお、実施の形態１〜３と同一の構成には同一の部材番号を付記し、その説明を省略する。
【０１１２】
本実施形態では、実施の形態１の第２ブラシ部３１（図１、図６参照）を、図２０に示す第２ブラシ部７１に置き換えた以外は、実施の形態１と同様である。第２ブラシ部７１は、図２０に示すように、実施の形態１〜３で用いたループブラシ３２のみで構成されている。つまり、本実施形態では、実施の形態１〜３で用いたブレード３３・５２を使用しておらず、ループブラシ３２の基布３２ｂを直接、回転体１３の支持部４１ｂに挿入することで、回転体１３の支持部４１ｂが、ループブラシ３２をその基布３２ｂにて直接支持する構成となっている。
【０１１３】
ここで、第２ブラシ部７１を回転体１３の支持部４１ｂにて支持したとき、すなわち、ループブラシ３２の基布３２ｂを支持部４１ｂに挿入したときには、ループブラシ３２の各ブラシ糸３２ａの両端を結ぶ線が支持部４１ｂの形成方向に沿うように、各ブラシ糸３２ａの両端が基布３２ｂに固定されており、各ブラシ糸３２ａがループ形状となっている。
【０１１４】
したがって、回転体１３を回転させると、ループブラシ３２の各ブラシ糸３１ａのループを形成した面が、回転体１３の回転方向を横切ったまま回転するようになるので、実施の形態１ないし３と同様に、ループブラシ３２のループ部分で効率よく、かつ、確実に、床面の油脂を掻き取ることができる。
【０１１５】
また、本実施形態では、ループブラシ３２を直接支持部４１ｂにて支持する構成であるので、実施の形態１ないし３にて必要であったブレード３３・５２を不要として、第２ブラシ部７１の構成を簡素化することができる。
【０１１６】
〔実施の形態５〕
本発明のさらに他の実施の形態について、図１に基づいて説明すれば、以下の通りである。なお、実施の形態１〜４と同一の構成には同一の部材番号を付記し、その説明を省略する。
【０１１７】
本実施形態では、実施の形態１の第１ブラシ部２１において、ストレートブラシ２２の各ブラシ糸２２ａの表面を、トルマリンでコーティングした以外は、実施の形態１と全く同様である。
【０１１８】
トルマリン自体は、自然状態でもマイナスイオンを発生するものであるが、トルマリンがコーティングされたストレートブラシ２２が床面や前壁４ａと接触し、摩擦したときでも、トルマリンからマイナスイオンが発生する。したがって、このようなストレートブラシ２２を回転させると、ストレートブラシ２２との接触によってマイナスに帯電する前壁４ａに、一般にプラスに帯電している空気中の塵埃が静電吸着し、電動送風機によって掃除機本体１内に吸引されるのと同時に、プラスに帯電している空気中の塵埃がトルマリンから発生するマイナスイオンに引き寄せられてこれと結合し、電動送風機によって掃除機本体１内に吸引される。したがって、塵埃の吸引、除去効果をさらに一段と高めることができる。
【０１１９】
ここで、ストレートブラシ２２の各ブラシ糸２２ａの表面にトルマリンをコーティングするのではなく、各ブラシ糸２２ａにトルマリンを練り込んでストレートブラシ２２を構成するようにしてもよい。各ブラシ２２ａの表面にトルマリンをコーティングした場合は、ストレートブラシ２２と床面や前壁４ａとの接触、摩擦によって、コーティングしたトルマリンが剥がれ、トルマリンから発生するマイナスイオンによる塵埃の吸引、除去効果が時間経過とともに落ちることが懸念される。
【０１２０】
しかし、各ブラシ糸２２ａにトルマリンを練り込んだ場合は、床面や前壁４ａとの接触、摩擦によってストレートブラシ２２が磨耗しても、ストレートブラシ２２の内部に常にトルマリンが存在していることによって、トルマリンから発生するマイナスイオンによる塵埃の吸引、除去効果が時間経過とともに失われることはない。つまり、トルマリンを各ブラシ糸２２ａに練り込んだ場合は、上記塵埃の吸引、除去効果を持続することができるという大きな利点がある。
【０１２１】
〔実施の形態６〕
本発明のさらに他の実施の形態について、図２３および図２４に基づいて説明すれば、以下の通りである。なお、実施の形態１〜５と同一の構成には同一の部材番号を付記し、その説明を省略する。
【０１２２】
本実施形態では、実施の形態１の第１ブラシ部２１（図１参照）を、図２３に示す第１ブラシ部８１に置き換えた以外は、実施の形態１と同様である。第１ブラシ部８１は、実施の形態１の第１ブラシ部２１において、さらに捲縮ブラシ８２を付加したものである。
【０１２３】
より具体的には、第１ブラシ部８１は、各ブラシ糸２２ａの一端を基布２２ｂに固定したストレートブラシ２２と、捲縮形状の各ブラシ糸８２ａの一端を上記と同じ基布２２ｂに固定した捲縮ブラシ８２とで構成されている。捲縮ブラシ８２の各ブラシ糸８２ａ（例えば直径２０デニール）は、ストレートブラシ２２の各ブラシ糸２２ａ（例えば直径５０デニール）よりも細く形成されている。これにより、基布２２ｂ上では、捲縮ブラシ８２の各ブラシ糸８２ａの密度は、ストレートブラシ２２の各ブラシ糸２２ａの密度よりも高いものとなっている。なお、ストレートブラシ２２の各ブラシ糸２２ａの素材およびストレートブラシ２２の回転半径方向の長さについては、実施の形態１で説明した通りである。
【０１２４】
ストレートブラシ２２よりも密度の高い捲縮ブラシ８２では、床面上の髪の毛や糸くずなどが各ブラシ糸８２ａに引っ掛かりやすい。したがって、第１ブラシ部８１が、上述したストレートブラシ２２に加えて捲縮ブラシ８２を有していることにより、ストレートブラシ２２によって前壁４ａを帯電させながら、捲縮ブラシ８２にて髪の毛や糸くずなどを確実に捕獲することができる。
【０１２５】
また、本実施形態では、同図に示すように、第１ブラシ部８１において、捲縮ブラシ８２は、ストレートブラシ２２（各ブラシ糸２２ａ）よりも各ブラシ糸８２ａの長さが短く形成されている。このような第１ブラシ部８１は、例えば以下の手法により得ることができる。
【０１２６】
まず、ストレートブラシ２２の各ブラシ糸２２ａの一端と捲縮ブラシ８２の各ブラシ糸８２ａの一端とを一方の基布２２ｂに固定し、各ブラシ糸２２ａの他端と各ブラシ糸８２ａの他端とを他方の基布２２ｂに固定する。そして、各ブラシ糸２２ａ・８２ａを中間で裁断する。この裁断時には、捲縮ブラシ８２は各ブラシ糸８２ａが捲縮形状であるがゆえに縮むので、上記の裁断によって、ストレートブラシ２２よりも捲縮ブラシ８２のほうが短い第１ブラシ部８１を同時に２個得ることができる。
【０１２７】
ストレートブラシ２２と捲縮ブラシ８２とが同じ長さの場合は、第１ブラシ部８１が回転ブラシ１１の支持部４１ａに取り付けられて回転ブラシ１１が回転すると、ストレートブラシ２２および捲縮ブラシ８２の両方が前壁４ａに接触し、しかも、捲縮ブラシ８２の各ブラシ糸８２ａの密度が高いため、回転ブラシ１１を回転させる図示しない駆動モータの負荷が大きくなり、故障や消費電力の増大の原因となる。
【０１２８】
しかし、捲縮ブラシ８２がストレートブラシ２２よりも短いと、回転ブラシ１１の回転時には、捲縮ブラシ８２の前壁４ａへの当たり量をストレートブラシ２２の前壁４ａへの当たり量よりも低減させることができる。その結果、回転ブラシ１１の駆動モータの負荷を軽減して、故障の発生や消費電力の増大を抑えることができる。特に、ストレートブラシ２２と前壁４ａとの当たり量が例えば１ｍｍであれば、捲縮ブラシ８２をストレートブラシ２２よりも１ｍｍ以上短く形成することで、捲縮ブラシ８２を前壁４ａに当てずに、ストレートブラシ２２だけを前壁４ａに当てるようにすることができ、上記の効果を最大限に得ることができる。
【０１２９】
また、図２４は、第１ブラシ部８１を取り付けた回転ブラシ１１の概略の構成を示す断面図である。本実施形態では、ストレートブラシ２２よりも回転ブラシ１１の回転方向下流側に捲縮ブラシ８２が位置するように、第１ブラシ部８１を回転ブラシ１１の支持部４１ａに取り付けている。この構成により、回転ブラシ１１の回転時には、ストレートブラシ２２よりも先に捲縮ブラシ８２が床面上の髪の毛や糸くずなどと接触するので、これらをストレートブラシ２２ではなく、捲縮ブラシ８２にて確実に捕獲することができる。したがって、髪の毛や糸くずなどが、ストレートブラシ２２やループブラシ３２に巻きついて、それらの機能（帯電機能やから拭き機能）が損なわれるのを確実に抑えることができる。
【０１３０】
また、髪の毛や糸くずなどがストレートブラシ２２に巻きつくと、それらが各ブラシ糸２２ａの奥まで入り込みやすく、その取り除き作業にも比較的手間がかかる。しかし、捲縮ブラシ８２では、各ブラシ糸８２ａが捲縮形状であるために、髪の毛や糸くずなどが各ブラシ糸８２ａの奥まで入り込まず、ほとんど先端部分で食い止めることができるため、その取り除き作業も容易である。
【０１３１】
また、捲縮ブラシ８２がストレートブラシ２２よりも回転方向下流側に設けられ、かつ、捲縮ブラシ８２がストレートブラシ２２よりも短いと、ストレートブラシ２２が前壁４ａに接触するときに、捲縮ブラシ８２がストレートブラシ２２のコシに影響を与えることがほとんどない。つまり、ストレートブラシ２２は、捲縮ブラシ８２の影響をほとんど受けることなく、前壁４ａとの接触により十分撓み、摩擦により前壁４ａを確実に帯電させることができる。
【０１３２】
また、第１ブラシ部８１において、捲縮ブラシ８２の各ブラシ糸８２ａには、トルマリンが練り込まれていることが望ましい。この場合、捲縮ブラシ８２のトルマリンから発生するマイナスイオンにより、プラスに帯電した空気中の塵埃が吸込口体３内部に引き寄せられ、電動送風機により掃除機本体１内部に吸引されるため、塵埃の除去効果を高めることができる。また、捲縮ブラシ８２が床面と接触し、磨耗しても、トルマリンが各ブラシ糸８２ａの内部に練り込まれているために、トルマリンによる塵埃除去効果が低下することはなく、塵埃の除去効果を持続して得ることができる。
【０１３３】
なお、トルマリンを各ブラシ糸８２ａの表面にコーティングしても勿論よいが、トルマリンによる塵埃除去効果の持続性を考えると、上述のように、トルマリンを各ブラシ糸８２ａの内部に練り込むほうがよい。
【０１３４】
なお、ループブラシ３２の各ブラシ糸３２ａに上述したトルマリンをコーティングもしくは練り込んでも勿論構わない。
【０１３５】
【発明の効果】
本発明によれば、ブラシ部は、各ブラシ糸の両端を結ぶ線が、回転体の周面を挟む両端面の各円周上の点を上記周面上で結ぶ線に沿って形成された支持部の形成方向に沿うように、各ブラシ糸の両端を基布に固定することによって、各ブラシ糸をループ状に形成したループブラシを有している。これにより、支持部が回転体周面にどのような方向に形成されていても、各ブラシ糸のループ部分が、回転体の回転方向を横切るように形成されるので、回転体を回転させると、各ブラシ糸のループを形成した面が、回転体の回転方向を横切りながら回転する。その結果、床面に油脂が付着していても、その油脂をループブラシのループ面で掻き取るように、そのループ部分で確実に掻き取ることができる。その結果、床面上の油脂を確実に拭き取ることができるという効果を奏する。
【０１３６】
さらに、本発明によれば、回転体の回転時に、筐体壁部がストレートブラシとの接触による摩擦により帯電するので、筐体壁部近傍（例えば床面付近）の塵埃が筐体壁部に静電吸着する。したがって、その後は、例えば、筐体壁部に吸着した塵埃を電動送風機によりまとめて吸引することが可能となり、その結果、床面付近の塵埃の除去効率を確実に向上させることができるという効果を併せて奏する。
【図面の簡単な説明】
【図１】本発明の実施の一形態に係る電気掃除機の吸込口体に収容される回転ブラシの概略の構成を示す断面図である。
【図２】上記電気掃除機の外観を示す斜視図である。
【図３】上記吸込口体の概略の構成を示す断面図である。
【図４】上記回転ブラシのブラシ部が有するループブラシの外観を示す斜視図である。
【図５】上記回転ブラシの回転体に支持され、上記ループブラシを挟持するブレードの概略の構成を示す断面図である。
【図６】上記ブレードにて上記ループブラシを挟持した上記ブラシ部の概略の構成を示す断面図である。
【図７】上記ループブラシの各ブラシ糸で床面上の油脂を掻き取る様子を模式的に示した説明図である。
【図８】上記ブラシ部が有するストレートブラシの各ブラシ糸の前壁への当たり量と、そのとき前壁にて発生する静電気の値との関係を示す説明図である。
【図９】上記当たり量と上記静電気との関係を示すグラフである。
【図１０】上記当たり量とダストリムーバルとの関係を示すグラフである。
【図１１】本発明の他の実施の形態に係る電気掃除機の吸込口体に収容される回転ブラシのブラシ部の概略の構成を示す断面図である。
【図１２】上記ブラシ部のループブラシをブレードに貼り付ける前の状態を示す斜視図である。
【図１３】上記回転ブラシの構成を種々変えて清掃効果を試すための実験を行った結果を示す説明図である。
【図１４】上記回転ブラシの他の構成例を示す断面図である。
【図１５】（ａ）および（ｂ）は、清掃対象がフローリングおよび絨毯の場合の、ループブラシの耐久性についての結果をそれぞれ示す説明図である。
【図１６】本発明のさらに他の実施の形態に係る電気掃除機の吸込口体に収容される回転ブラシのブラシ部の概略の構成を示す断面図である。
【図１７】上記ブラシ部の外観を示す斜視図である。
【図１８】床面と接触した上記ブラシ部の状態を示す断面図である。
【図１９】上記ブラシ部の他の構成例を示す断面図である。
【図２０】本発明のさらに他の実施の形態に係る電気掃除機の吸込口体に収容される回転ブラシのブラシ部の概略の構成を示す断面図である。
【図２１】従来の電気掃除機の吸込口体の概略の構成を示す断面図である。
【図２２】上記吸込口体に収容される回転ブラシのブラシ糸で床面の油脂をなでる様子を模式的に示す説明図である。
【図２３】本発明のさらに他の実施形態に係る電気掃除機の吸込口体に収容される回転ブラシの第１ブラシ部の概略の構成を示す断面図である。
【図２４】上記回転ブラシの概略の構成を示す断面図である。
【符号の説明】
１    掃除機本体
３    吸込口体
４    筐体
４ａ  前壁（筐体壁部）
１２    ブラシ部
２１    第１ブラシ部
２２    ストレートブラシ
２２ａ  ブラシ糸
２２ｂ  基布
３１    第２ブラシ部
３２    ループブラシ
３２ａ  ブラシ糸
３２ｂ  基布
３３    ブレード（弾性体）
３３ａ  第１支持部
３３ｂ  第２支持部
４１    支持部
４１ａ  支持部
４１ｂ  支持部
５１    第２ブラシ部
５２    ブレード（弾性体）
５３    先端部
６１    第２ブラシ部
７１    第２ブラシ部
８１    第１ブラシ部
８２    捲縮ブラシ
８２ａ  ブラシ糸
【図１】
2004249009.tif 000003
【図２】
2004249009.tif 000004
【図３】
2004249009.tif 000005
【図４】
2004249009.tif 000006
【図５】
2004249009.tif 000007
【図６】
2004249009.tif 000008
【図７】
2004249009.tif 000009
【図８】
2004249009.tif 000010
【図９】
2004249009.tif 000011
【図１０】
2004249009.tif 000012
【図１１】
2004249009.tif 000013
【図１２】
2004249009.tif 000014
【図１３】
2004249009.tif 000015
【図１４】
2004249009.tif 000016
【図１５】
2004249009.tif 000017
【図１６】
2004249009.tif 000018
【図１７】
2004249009.tif 000019
【図１８】
2004249009.tif 000020
【図１９】
2004249009.tif 000021
【図２０】
2004249009.tif 000022
【図２１】
2004249009.tif 000023
【図２２】
2004249009.tif 000024
【図２３】
2004249009.tif 000025
【図２４】
2004249009.tif 000026